(57)【要約】【課題】複数種類のデータの連続的送受信を図る。【解決手段】ＡＣアダプタ又は充電器１１が携帯端末装置１０に接続されると、その接続が接続検知機能１２によって検知され、その検知情報が通信制御機能１４へ通知される。通信制御機能１４は、検知情報を受け取ると、通信リスト管理機能１６を呼び出して通信リストを取得し、取得した通信リストに基づいてＯＢＥＸ通信の実行指示を通信処理機能１８に対して出す。通信処理機能１８は、通信制御機能１４からＯＢＥＸ通信の実行指示を受け取ると、その実行指示に基づいて指示対応のＯＢＥＸ通信を実行する。【選択図】図１
2010177861.tif 000002
【特許請求の範囲】
【請求項１】
通信開始条件の発生を検知する検知手段と、
通信リストを出力するリスト出力手段と、
前記検知手段から出力される検知信号に基づいて前記リスト出力手段をアクセスして前記通信リストを得るリスト取得手段と、
該リスト取得手段で得られた前記通信リストに基づいて通信を開始する通信手段とを有する送信装置と、
該送信装置との間で通信を行う受信装置とを備えることを特徴とする通信システム。
【請求項２】
通信開始条件の発生を検知する検知手段と、
通信リストを出力するリスト出力手段と、
通信情報要求信号を受信する受信手段と、
前記検知手段から出力される検知信号及び前記受信手段で受信された前記通信情報要求信号に基づいて前記リスト出力手段をアクセスして前記通信リストを得るリスト取得手段と、
該リスト取得手段で得られた前記通信リストに基づいて通信を開始する通信手段とを有する送信装置と、
前記通信情報要求信号を送信する送信手段を有し、前記送信装置との間で通信を行う受信装置とを備えることを特徴とする通信システム。
【請求項３】
外付け機器の接続を検知する接続検知手段と、
通信リストを出力するリスト出力手段と、
前記接続検知手段から出力される検知信号に基づいて前記リスト出力手段をアクセスして前記通信リストを得るリスト取得手段と、
該リスト取得手段で得られた前記通信リストに基づいて通信を開始する通信手段とを有する携帯端末装置と、
該携帯端末装置との間で通信を行う受信装置とを備えることを特徴とする携帯端末通信システム。
【請求項４】
外付け機器の接続を検知する接続検知手段と、
通信リストを出力するリスト出力手段と、
通信情報要求信号を受信する受信手段と、
前記検知手段から出力される検知信号及び前記受信手段で受信される前記通信情報要求信号に基づいて前記リスト出力手段をアクセスして前記通信リストを得るリスト取得手段と、
該リスト取得手段で得られた前記通信リストに基づいて通信を開始する通信手段とを有する携帯端末装置と、
前記通信情報要求信号を送信する送信手段を有し、前記携帯端末装置との間で通信を行う受信装置とを備えることを特徴とする携帯端末通信システム。
【請求項５】
前記外付け機器は、前記携帯端末装置へ接続されるＡＣアダプタ又は充電器で、前記接続検知手段は、前記ＡＣアダプタ又は充電器の接続を検知する手段であることを特徴とする請求項３又は４記載の携帯端末通信システム。
【請求項６】
前記リスト出力手段は、通信リスト作成手段と、通信リスト編集手段と、通信リスト閲覧手段とからなる通信リスト管理手段であることを特徴とする請求項３、４又は５記載の携帯端末通信システム。
【請求項７】
前記リスト取得手段は、前記検知信号に基づいて前記通信リスト管理手段にアクセスする通信制御手段であることを特徴とする請求項６記載の携帯端末通信システム。
【請求項８】
前記通信手段での前記通信に用いられる通信情報は、前記通信リストの通信データ及び前記通信リストの検索情報で検索されるファイルであることを特徴とする請求項３乃至７のうちのいずれか一に記載の携帯端末通信システム。
【請求項９】
前記通信手段での前記通信は、ＯＢＥＸ通信であることを特徴とする請求項３乃至８のうちのいずれか一に記載の携帯端末通信システム。
【請求項１０】
前記ＯＢＥＸ通信は、赤外線通信又はBluetooth通信で行われることを特徴とする請求項９記載の携帯端末通信システム。
【請求項１１】
送信装置の検知手段で通信開始条件の発生を検知し、
前記検知手段から出力された検知信号に基づいてリスト出力手段をアクセスして通信リストを取得し、
取得された前記通信リストに基づいて受信装置との間で通信を開始することを特徴とする通信方法。
【請求項１２】
送信装置の検知手段で通信開始条件の発生を検知し、
前記検知手段から出力された検知信号に基づいてリスト出力手段をアクセスして通信リストを取得し、
受信装置から通信情報要求信号を受信し、
取得された前記通信リスト及び受信された前記通信受信要求信号に基づいて前記受信装置との間で通信を開始することを特徴とする通信方法。
【請求項１３】
携帯端末装置の接続検知手段で外付け機器の接続を検知し、
前記接続検知手段から出力された検知信号に基づいてリスト出力手段をアクセスして通信リストを取得し、
取得された前記通信リストに基づいて前記携帯端末装置へ接続される受信装置との間で通信を開始することを特徴とする携帯端末通信システムにおける通信方法。
【請求項１４】
携帯端末装置の接続検知手段で外付け機器の接続を検知し、
前記接続検知手段から出力された検知信号に基づいてリスト出力手段をアクセスして通信リストを取得し、
前記携帯端末装置に接続される受信装置からの通信情報要求信号を受信し、
取得された前記通信リスト及び受信された前記通信情報要求信号に基づいて前記受信装置との間で通信を開始することを特徴とする携帯端末通信システムにおける通信方法。
【請求項１５】
前記外付け機器は、ＡＣアダプタ又は充電器で、前記接続検知手段は、前記ＡＣアダプタ又は充電器の接続を検知する手段であることを特徴とする請求項１３又は１４記載の携帯端末通信システムにおける通信方法。
【請求項１６】
前記リスト出力手段は、通信リスト作成手段と、通信リスト編集手段と、通信リスト閲覧手段とからなる通信リスト管理手段であることを特徴とする請求項１３、１４又は１５記載の携帯端末通信システムにおける通信方法。
【請求項１７】
前記通信リストの取得は、前記検知信号に基づいて前記通信リスト管理手段にアクセスして行われることを特徴とする請求項１６記載の携帯端末通信システムにおける通信方法。
【請求項１８】
前記携帯端末装置と前記受信装置との間の前記通信に用いられる通信情報は、前記通信リストの通信データ及び前記通信リストの検索情報で検索されるファイルであることを特徴とする請求項１３乃至１７のうちのいずれか一に記載の携帯端末通信システムにおける通信方法。
【請求項１９】
前記携帯端末装置と前記受信装置との間の前記通信は、ＯＢＥＸ通信であることを特徴とする請求項１３乃至１８のうちのいずれか一に記載の携帯端末通信システムにおける通信方法。
【請求項２０】
前記ＯＢＥＸ通信は、赤外線通信又はBluetooth通信で行われることを特徴とする請求項１９記載の携帯端末通信システムにおける通信方法。
【請求項２１】
通信開始条件の発生を検知する検知手段と、
通信リストを出力するリスト出力手段と、
前記検知手段から出力される検知信号に基づいて前記リスト出力手段をアクセスして前記通信リストを得るリスト取得手段と、
該リスト取得手段で得られた前記通信リストに基づいて受信装置との間で通信を開始する通信手段とを備えることを特徴とする送信装置。
【請求項２２】
通信開始条件の発生を検知する検知手段と、
通信リストを出力するリスト出力手段と、
受信装置からの通信情報要求信号を受信する受信手段と、
前記検知手段から出力される検知信号及び前記受信手段で受信された前記通信情報要求信号に基づいて前記リスト出力手段をアクセスして前記通信リストを得るリスト取得手段と、
該リスト取得手段で得られた前記通信リストに基づいて前記受信装置との間で通信を開始する通信手段とを備えることを特徴とする送信装置。
【請求項２３】
外付け機器の接続を検知する接続検知手段と、
通信リストを出力するリスト出力手段と、
前記接続検知手段から出力される検知信号に基づいて前記リスト出力手段をアクセスして前記通信リストを得るリスト取得手段と、
該リスト取得手段で得られた前記通信リストに基づいて受信装置との間で通信を開始する通信手段とを備えることを特徴とする携帯端末装置。
【請求項２４】
外付け機器の接続を検知する接続検知手段と、
通信リストを出力するリスト出力手段と、
受信装置からの通信情報要求信号を受信する受信手段と、
前記接続検知手段から出力される検知信号及び前記受信手段で受信された前記通信情報要求信号に基づいて前記リスト出力手段をアクセスして前記通信リストを得るリスト取得手段と、
該リスト取得手段で得られた前記通信リストに基づいて前記受信装置との間で通信を開始する通信手段とを備えることを特徴とする携帯端末装置。
【請求項２５】
前記接続検知手段は、ＡＣアダプタ又は充電器の接続を検知する手段であることを特徴とする請求項２３又は２４記載の携帯端末装置。
【請求項２６】
前記リスト出力手段は、通信リスト作成手段と、通信リスト編集手段と、通信リスト閲覧手段とからなる通信リスト管理手段であることを特徴とする請求項２３、２４又は２５記載の携帯端末装置。
【請求項２７】
前記リスト取得手段は、前記検知信号に基づいて前記通信リスト管理手段にアクセスする通信制御手段であることを特徴とする請求項２６記載の携帯端末装置。
【請求項２８】
前記通信手段での前記通信に用いられる通信情報は、前記通信リストの通信データ及び前記通信リストの検索情報で検索されるファイルであることを特徴とする請求項２３乃至２７のうちのいずれか一に記載の携帯端末装置。
【請求項２９】
前記通信手段での前記通信は、ＯＢＥＸ通信であることを特徴とする請求項２３乃至２８のうちのいずれか一に記載の携帯端末装置。
【請求項３０】
前記ＯＢＥＸ通信は、赤外線通信又はBluetooth通信で行われることを特徴とする請求項２９記載の携帯端末装置。
【請求項３１】
コンピュータに請求項１又は２記載の通信システムを制御させることを特徴とする制御プログラム。
【請求項３２】
コンピュータに請求項３乃至１０のうちのいずれか一に記載の携帯端末通信システムを制御させることを特徴とする制御プログラム。
【請求項３３】
コンピュータに請求項１１又は１２記載の通信方法を実行させることを特徴とする制御プログラム。
【請求項３４】
コンピュータに請求項１３乃至２０のうちのいずれか一に記載の携帯端末通信システムにおける通信方法を実行させることを特徴とする制御プログラム。
【請求項３５】
コンピュータに請求項２１又は２２記載の送信装置を制御させることを特徴とする制御プログラム。
【請求項３６】
コンピュータに請求項２３乃至３０のうちのいずれか一に記載の携帯端末装置を制御させることを特徴とする制御プログラム。
【請求項３７】
請求項３１乃至３６のうちのいずれか一に記載の制御プログラムを記録した記録媒体。
【発明の詳細な説明】
【技術分野】
【０００１】
この発明は、通信システム、通信方法及び送信装置、携帯端末システム、携帯端末システムにおける通信方法及び携帯端末装置並びにその制御プログラム及び記録媒体に関し、詳しくは、複数種類の情報の連続的な（連鎖的な）通信を可能にする通信システム、通信方法及び送信装置、携帯端末システム、携帯端末システムにおける通信方法及び携帯端末装置並びにその制御プログラム及び記録媒体に関する。
【背景技術】
【０００２】
従来から携帯電話機においてＯＢＥＸ通信にてデータを送信する携帯端末通信システム（以下、従来システムという）が知られている。この通信システムでは、その通信においてデータ送信を行う場合、一度に１種類のデータしかを送信できないばかりでなく、送信データ毎に異なった操作をしなければならない構成となっている。したがって、複数種類のデータを送受信するのには、その都度操作を行ってデータの送受信毎に、そのデータ対応の操作が必要となる。
【０００３】
特許文献１には、ソフトウェア又はユーザデータのアップデートに係る携帯電話機についての関連技術が記載されている。その携帯電話機は、簡単な操作、すなわち、充電器のバッテリへの接続時に、アップデート要求を無線通信網を介して管理局端末へ送信し、そのアップデート要求を受信した管理局端末は、最新のソフトウェア又はユーザデータを携帯電話機へ返送し、携帯電話機のソフトウェアを受信した最新のソフトウェア又はユーザデータにアップデートする技術を採用して構成される。
【０００４】
特許文献２には、赤外線利用携帯電話機の車載用アダプタへの接続システム及び方法についての関連技術が記載されている。この接続システムは、赤外線利用携帯電話機を車載用アダプタに組み込むことに応答して赤外線利用携帯電話機と車載用アダプタとの間の赤外通信を開始する技術を採用して構成される。すなわち、赤外線デバイスで赤外線通信が行われたか否かを制御回路で判断し、その判断結果が肯定的であるならば、すなわち、赤外線利用携帯電話機の通信相手が車載用アダプタであると認識するならば、通信を赤外線利用携帯電話機と車載用アダプタとの間の通信に切り替えることを内容としている。
【先行技術文献】
【特許文献】
【０００５】
【特許文献１】特開２００５−２２２１７１号公報
【特許文献２】特許第３４４９３０１号
【発明の概要】
【発明が解決しようとする課題】
【０００６】
ところで、従来システムでは、その通信においてデータ送信を行い得るのは、一度に１種類のデータだけである。したがって、複数種類のデータを送受信するのには、その都度、操作を行う必要がある。また、その操作が送信データ毎に異なり、送受信の操作がユーザにとって煩雑となるという技術的課題がある。
このような技術的課題は、特許文献１や特許文献２に記載される関連技術にも存在する。
【０００７】
この発明は、上述の事情に鑑みてなされたもので、通信開始を所定の通信開始条件の発生に基本を置く通信システム、通信方法及び送信装置、携帯端末システム、携帯端末システムにおける通信方法及び携帯端末装置並びにその制御プログラム及び記録媒体を提供することを目的としている。
【課題を解決するための手段】
【０００８】
上記課題を解決するために、この発明の第１の構成は、通信開始条件の発生で通信開始する通信システムに係り、通信開始条件の発生を検知する検知手段と、通信リストを出力するリスト出力手段と、上記検知手段から出力される検知信号に基づいて上記リスト出力手段にアクセスして上記通信リストを得るリスト取得手段と、該リスト取得手段で得られた上記通信リストに基づいて通信を開始する通信手段とを有する送信装置と、該送信装置との間で通信を行う受信装置とを備えることを特徴としている。
【０００９】
この発明の第２の構成は、通信開始条件の発生で通信開始する通信方法に係り、送信装置の検知手段で通信開始条件の発生を検知し、上記検知手段から出力された検知信号に基づいてリスト出力手段にアクセスして通信リストを取得し、取得された上記通信リストに基づいて受信装置との間で通信を開始することを特徴としている。
【００１０】
この発明の第３の構成は、通信開始条件の発生で通信開始する送信装置に係り、通信開始条件の発生を検知する検知手段と、通信リストを出力するリスト出力手段と、上記検知手段から出力される検知信号に基づいて上記リスト出力手段にアクセスして上記通信リストを得るリスト取得手段と、該リスト取得手段で得られた上記通信リストに基づいて受信装置との間で通信を開始する通信手段とを備えることを特徴としている。
【発明の効果】
【００１１】
この発明によれば、通信開始条件の発生で通信リストを取得し、取得され通信リストに基づいて通信を行うので、複数種類のデータについての連続的な通信を行うことが可能になる。
【図面の簡単な説明】
【００１２】
【図１】この発明の実施形態１である携帯端末装置の電気的構成を示すブロック図である。
【図２】同携帯端末装置で用いる通信リストの構成例を示す図である。
【図３】同携帯端末装置でのＯＢＥＸ通信の処理手順を示すフローチャートである。
【発明を実施するための形態】
【実施形態１】
【００１３】
図１は、この発明の実施形態１である携帯端末装置の電気的構成を示すブロック図、図２は、同携帯端末装置で用いる通信リストの構成例を示す図、また、図３は、同携帯端末装置でのＯＢＥＸ通信の処理手順を示すフローチャートである。
【００１４】
この実施形態の携帯端末装置（携帯電話機）１０は、ＡＣアダプタ、充電器等の外付け電気機器の接続で取得される通信リストに基づいて携帯端末通信システムの相手装置との間でＯＢＥＸ通信（ＯＢＥＸは、Object Exchangeの略である。）を行う装置に係り、図１に示すように、接続検知機能１２と、通信制御機能１４と、通信リスト管理機能１６と、通信処理機能１８と、ファイルデータベース（ファイルＤＢ）２０とから概略構成されている。そして、携帯端末装置１０は、ＡＣアダプタ又は充電器１１が接続可能に構成されている。
また、通信処理機能１８は、携帯端末通信システムを構成する通信端末装置と通信回線、例えば、赤外線通信回線で接続される構成となっている。
【００１５】
接続検知機能１２は、ＡＣアダプタ又は充電器１１が携帯端末装置１０に接続されたとき、その接続（通信開始条件の発生の例）を検知して通信制御機能１４へ検知情報を通知する機能である。
通信制御機能１４は、接続検知機能１２からの検知情報に基づいてＯＢＥＸ通信の実行を通信処理機能１８に対して指示する機能である。この指示でＯＢＥＸ通信の処理が開始される。上記指示は、検知情報を受け取ると、通信リスト管理機能１６を呼び出して通信リスト（データリスト）を取得し、取得した通信リストに基づいてＯＢＥＸ通信を通信処理機能１８に実行させるための指示である。
【００１６】
通信リスト管理機能１６は、通信リスト（データリスト）の作成、編集、閲覧を行う機能であり、通信リスト作成機能１６１と、通信リスト編集機能１６２と、通信リスト閲覧機能１６３とがある。通信リスト作成機能１６１は、通信リスト（図３）を作成する機能である。通信リスト編集機能１６２は、通信リストを編集する機能である。通信リスト閲覧機能１６３は、通信リストを閲覧する機能である。
通信リスト管理手段１６によって編集作成された通信リストは、携帯端末装置１０上に予め確保されている保存領域に保存され、通信リスト管理手段１６の呼び出しを受けたとき、通信リスト管理手段１６は、その通信リストを通信処理手段１８へ受け渡す。
【００１７】
通信処理機能１８は、通信制御機能１４からのＯＢＥＸ通信の実行指示に基づいてそのＯＢＥＸ通信を実行する機能である。ＯＢＥＸ通信の実行は、その実行に先だってファイルデータベース２０にアクセスして実行指示に含まれる順番及び通信種別（図３）（検索情報）対応のファイルのファイル名及び保存場所を取得した後、取得したファイル名及び保存場所に基づいてアクセス可能となるＯＢＥＸ通信対象のファイルを携帯端末装置１０上の保存領域から導出して行う。このＯＢＥＸ通信対象のファイルは、携帯端末装置１０内に確保される所定の保存領域に予め保存されている。
また、通信処理機能１８は、上述の通信端末装置からの通信情報要求信号（後述）の受信部（受信手段）も有して構成されている。
【００１８】
ファイルデータベース２０は、携帯端末装置１０内に確保される所定の保存領域に存在する（保存されている）ＯＢＥＸ通信可能なファイルの、ファイル名及び保存場所を保持しているデータベースである。通信処理機能１８におけるＯＢＥＸ通信の実行に際しての、そのＯＢＥＸ通信のためのファイルの導出は、ＯＢＥＸ通信の実行指示に含まれる順番及び通信種別に基づいて行われる。導出されたファイルは通信処理機能１８でのＯＢＥＸ通信に用いられる。
【００１９】
接続検知機能１２，通信制御機能１４、通信リスト管理機能１６及び通信処理機能１８は、プログラムの処理で構成されており、そのプログラムは、携帯電話機１０に装備される記憶装置（ディスク等）（記録媒体）に記録され、その記憶装置から携帯電話機１０のプロセッサによって読み出されて実行されることにより図３に示す処理手順を遂行するように構成されている。記録媒体は、携帯電話機１０に固定的に装着されるものであってもよく、着脱可能な形式であってもよい。
【００２０】
次に、図１乃至図３を参照して、この実施形態の動作について説明する。
ＡＣアダプタ又は充電器１１が携帯端末装置１０に接続されると、その接続が接続検知機能１２によって検知され（図３のステップＳ１）、その検知情報が通信制御機能１４へ通知される（図３のステップＳ１の接続を検知）。
その通信制御機能１４は、検知情報を受け取ると、通信リスト管理機能１６を呼び出して通信リストを取得し（図３のステップＳ２）、取得した通信リストに基づいてＯＢＥＸ通信の実行指示を通信処理機能１８に対して出す。
【００２１】
通信処理機能１８は、通信制御機能１４からＯＢＥＸ通信の実行指示を受け取ると、その実行指示に基づいて指示対応のＯＢＥＸ通信を実行する。ＯＢＥＸ通信の実行に際して、先ず、ファイルデータベース２０にアクセスして実行指示、すなわち、順番及び通信種別対応のファイルのファイル名及び保存場所を取得し、取得したファイル名及び保存場所でアクセス可能なＯＢＥＸ通信対象のファイルをその保存領域から導出する（読み出す）。
【００２２】
通信処理機能１８におけるＯＢＥＸ通信の実行には、開始されたＯＢＥＸ通信についての相手から要求（通信情報要求信号）、すなわち、相手が受信したいファイル、通信データ及びこれらの情報を受信する通信回線（通信種別）に対する要求も考慮される。そのＯＢＥＸ通信の実行において、取得した通信リスト内に通信対象の項目（通信リストの順番及び通信種別）があるか否かを判定する（図３のステップＳ３）。この判定には、ＯＢＥＸ通信相手の要求に応じて取得される通信リストについて項目存否の判定も含まれる。
判定において項目があれば（図３のステップＳ３のＹ）、通信処理機能１８は当該項目についてのＯＢＥＸ通信を、例えば、赤外線通信で実行する（図３のステップＳ４）。項目がなければ（図３のステップＳ３のＮ）、通信処理機能１８は処理を終了する。
【００２３】
上述のＯＢＥＸ通信の実行において、相手と接続できない等のエラーが発生しないとき（図３のステップＳ５のＮ）、残りの項目があるか否かを判定する（図３のステップＳ３）。項目があるならば（図３のステップＳ３のＹ）、通信処理機能１８は当該項目についてのＯＢＥＸ通信を上述のところと同様にして実行する。項目がなければ（図３のステップＳ３のＮ）、通信処理機能１８は処理を終了する。
同様にして、通信リスト内の項目が無くなるまで、各項目についてのＯＢＥＸ通信を続行する。
【００２４】
上述した順次の項目についてのＯＢＥＸ通信の実行において、上述のエラーが発生した場合には（図３のステップＳ５のＹ）、使用者に対して再度ＯＢＥＸ通信を行う必要があるか否かを問い合わせる（図３のステップＳ６）。その再通信の要求があれば（図３のステップＳ７のＹ）、再度、そのＯＢＥＸ通信を行う（図３のステップＳ４）。
上記再通信の要求がなければ（図３のステップＳ７のＮ）、エラーが発生した項目についてのＯＢＥＸ通信は終了する。
【００２５】
このように、この実施形態によれば、ＡＣアダプタ又は充電器の携帯端末装置への接続を条件にデータリスト（通信リスト）に基づいて複数種類のＯＢＥＸ通信を連続して行うことが可能になる。
このＯＢＥＸ通信において、通信相手の要求に応じてファイル、通信データ、通信種別を変更してその通信を行うことができる。したがって、臨機応変な通信データの変更に対応できる。
【００２６】
以上、この発明の実施形態を、図面を参照して詳述してきたが、この発明の具体的な構成は、これらの実施形態に限られるものではなく、この発明の要旨を逸脱しない範囲の設計の変更等があってもそれらはこの発明に含まれる。
例えば、実施形態では、ＡＣアダプタ又は充電器１１の携帯端末装置１０への接続を条件にＯＢＥＸ通信を開始する例について説明したが、その他の形式の通信開始条件でＯＢＥＸ通信を開始するようにしてもよい。
また、ＯＢＥＸ通信において通信リストを連続して行うと説明したが、その連続態様を必ずしも時系列上で連続してでなく、所定の時間を置いて定期的又は不定期的な連鎖で行うようにしてもよい。
また、ＯＢＥＸ通信は、赤外線通信でなく、Bluetooth通信等で行うように構成することも可能である。
【産業上の利用可能性】
【００２７】
ここに開示している通信システム、通信方法及び送信装置、携帯端末システム、携帯端末システムにおける通信方法及び携帯端末装置並びにその制御プログラム及び記録媒体は、携帯電話機のほか、ＰＨＳ（Personal Handy-phone System）、ＰＤＡ（Personal Data Assistance）等の携帯端末装置やその他のＯＢＥＸ通信可能な通信端末装置で利用し得る。
【符号の説明】
【００２８】
１０      携帯端末装置（携帯端末システムの一部）
１２      接続検知機能（検知手段、接続検知手段）
１４      通信制御機能（リスト取得手段）
１６      通信リスト管理機能（リスト出力手段の一部）
１８      通信処理機能（通信手段）
２０      ファイルＤＢ（リスト出力手段の残部）
１６１      通信リスト作成機能（通信リスト作成手段）
１６２      通信リスト編集機能（通信リスト編集手段）
１６３      通信リスト閲覧機能（通信リスト閲覧手段）
【図１】
2010177861.tif 000003
【図２】
2010177861.tif 000004
【図３】
2010177861.tif 000005